(57)【要約】      （修正有）【課題】薄型のジャッキ装置により、コンクリート２次製品を上下方向及び水準を合わせ容易に据付可能にする。【解決手段】板状のベース部材９上に設置したシリンダー３内を摺動するピストン６により作動軸７を押動し、該作動軸に連結した昇降部４を折畳むことにより、上記ベース部材上に載置した重量物を持ちあげるようにしたジャッキ装置１を使用することにある。【選択図】図１
2007331893.tif 000002
【特許請求の範囲】
【請求項１】
板状のベース部材上に設置したシリンダー内を摺動するピストンが昇降部に連結され、該昇降部を折畳むことによりベース部材上に載置した重量物を持ちあげるようにしたジャッキ装置。
【請求項２】
板状のベース部材上に設置したシリンダー内を摺動するピストンにより作動軸を押動し、該作動軸に連結した昇降部を折畳むことにより、上記ベース部材上に載置した重量物を持ちあげるようにしたジャッキ装置。
【請求項３】
板状のベース部材上に設置したシリンダー内を摺動するピストンによりワイヤーケーブルを押動し、該ワイヤーケーブルに連結した昇降部を折畳むことにより、上記ベース部材上に載置した重量物を持ちあげるようにしたジャッキ装置。
【発明の詳細な説明】
【技術分野】
【０００１】
本発明はコンクリート２次製品を上下方向及び水準を合わすことのできる薄型のジャッキ装置に関する。
【背景技術】
【０００２】
Ｕ字溝や道路境界ブロックなどのコンクリート２次製品を設置する施工は、施工箇所に２次製品との余裕をみて３cm程度低くコンクリートを打設するか、あるいは砕石を敷きならして、まず基礎を形成する。つづいて、そこに空練りモルタルを３cm程度敷き、作業者がコンクリート２次製品を置き、モルタルの調整で目視あるいは勘により上下水準を合わす。しかしながら、モルタルの量が多い場合もしくは少ない場合にはコンクリート２次製品を取り除き再度モルタル調整した後に設置しなければならなかった。
【０００３】
これに対し、特開平１１−１９９１８４号公報に示す考案が提供されている。本提案は支持物をジャッキ上に支持した状態でジャッキヘッドに設けた回転子により支持物を容易に移動可能とするものである。
【特許文献１】特開平１１−１９９１８４号公報
【発明の開示】
【発明が解決しようとする課題】
【０００４】
コンクリート２次製品の施工において、該コンクリート２次製品が８０kg〜１００kg程度のものは人力のみで施工するためかなりの体力が必要である。なおかつ施工量は、体力の負担が大きいため極めて少なく、作業効率が非常に悪い。上記先行技術では水平移動は容易に行えるが傾斜あるいはねじれの調整は困難である。本発明は上記問題点を解消すべくなされたもので薄型のジャッキを使用して重量のあるコンクリート２次製品を容易に設置できるジャッキ装置を提供しようとするものである。
【課題を解決するための手段】
【０００５】
板状のベース部材上に設置したシリンダー内を摺動するピストンが昇降部に連結され、該昇降部を折畳むことによりベース部材上に載置した重量物を持ちあげるようにしたジャッキ装置である。
また、板状のベース部材上に設置したシリンダー内を摺動するピストンにより作動軸を押動し、該作動軸に連結した昇降部を折畳むことにより、上記ベース部材上に載置した重量物を持ちあげるようにしたジャッキ装置である。
また、板状のベース部材上に設置したシリンダー内を摺動するピストンによりワイヤーケーブルを押動し、該ワイヤーケーブルに連結した昇降部を折畳むことにより、上記ベース部材上に載置した重量物を持ちあげるようにしたジャッキ装置である。
【発明の効果】
【０００６】
この発明の薄型のジャッキ装置によると重機などで設置場所に置いたコンクリート２次製品の下部に該ジャッキ装置を差し込み、油圧ポンプハンドルで操作することにより上下方向及び水準を容易に調整することができ、作業者の体力を消耗することなく作業効率を著しく向上することができるようになった。
【発明を実施するための最良の形態】
【０００７】
図１は本発明によるジャッキ装置を示す斜視図、図２は同ジャッキ装置の要部拡大断面側面図である。同図において、１はジャッキ装置で該ジャッキ装置１は、油圧ポンプ２、シリンダー３、昇降部４とからなっている。油圧ポンプ２はハンドル５を上下動することにより、シリンダー３内を摺動する、ピストン６を押し出し、上記昇降部４に連結されている作動軸７を押動し、図２中鎖線で示すように昇降部４を折畳むことにより載置したコンクリート２次製品等の重量物を上昇させる。昇降部４の上には後述するが、Ｕ字溝や道路境界ブロックなどのコンクリート２次製品が載っており、該昇降部４を上下動させることによりコンクリート２次製品の上下方向及び水準を調整するものである。コンクリート２次製品を上げる場合は油圧ポンプのハンドルを上下動すれば良く、下げる場合は圧力解除レバー８を回動し、油圧ポンプ２の圧力を下げれば良い。上記シリンダー３と昇降部４とはベース部材９上に装備されており油圧ポンプ２とシリンダー３とは耐圧ホースにより連結されている。
【０００８】
次に図２はジャッキ装置１の要部拡大断面側面図である。同図示のとおり油圧ポンプ２により加圧されると、シリンダー３のピストン６が図中矢印で示すように左方へ摺動し、作動軸７を左方に押動する。すると該作動軸７と回転自在に軸支された昇降部４が鎖線で示すように立上りコンクリート２次製品を持ち上げる。
下げる場合は油圧ポンプ２の圧力解除レバー８を回動するとシリンダー３のピストン６が図中矢印で示すように右方へ摺動し、作動軸７を右方へ押動する。すると該作動軸７と回動自在に軸支された昇降部４が鎖線で示すように降下してコンクリート２次製品を下げる。
【実施例１】
【０００９】
図３は本発明によるジャッキ装置１により道路境界ブロックを設置する状態を示す斜視図である。本実施例では、同一のベース部材９に３基のジャッキ装置１、１、１を装備したジャッキ装置２１で該ジャッキ装置２１は、油圧ポンプ２、２、２にそれぞれ対応して昇降部４、４、４が設置されており、これら昇降部４はこのうちの２つが略同一直線上に設置され、残りの４つが平行して設置され、これらは同一平面上で三角形状に配置されている。同図において、図１と同じ符号は同一物を示し詳細な説明を省略する。１０は道路境界ブロックを示すコンクリート２次製品であり、１１はコンクリート基礎である。
ジャッキ装置２１をコンクリート２次製品１０とコンクリート基礎１１との間に設置する。ジャッキ装置２１の昇降部４によりコンクリート２次製品１０を３点支持し、該ジャッキ装置２１のそれぞれの油圧ポンプ２を上下動することにより３基のジャッキ装置１を調整することによって、コンクリート２次製品の上下方向及び水準を合わせて所望の位置に設置する。
【実施例２】
【００１０】
図４および図５は本発明によるジャッキ装置によりＵ字溝を設置する場合の適用例を示す図で図４はＵ字溝に対して横方向から設置する場合の状態を示す斜視図、図５はＵ字溝に対して縦方向から設置する場合の状態を示す斜視図、である。
図４は２種のジャッキ装置１、３１によりＵ字溝１０を設置するものでジャッキ装置３１は、２基のジャッキ装置１、１を装備したもので昇降部４、４は略同一直線上に設置されており、該ジャッキ装置３１とジャッキ装置１とで前記図３と同様に同一平面上で三角形状に配置し、Ｕ字溝１０の上下方向及び水準を合せ所望の位置に設置するものである。
【実施例３】
【００１１】
図５も図４と同じく２種のジャッキ装置４１、５１によりＵ字溝１０を設置するものである。本実施例の場合ジャッキ装置４１はＬ字状に形成されたものでジャッキ装置５１は昇降部４、４が平行して設置されたものである。これらのジャッキ装置４１、５１をＵ字溝の端部にそれぞれ設置し、Ｕ字溝１０の上下方向及び水準を合せ、所望の位置にＵ字溝１０を設置するものである。本実施例では、Ｕ字溝１０の幅方向にスペースをとることができない場所に設置する場合に有効である。
【実施例４】
【００１２】
図６はＵ字溝など設置する場合においてスペースが極めて少ない場合に有効である。
【図面の簡単な説明】
【００１３】
【図１】本発明によるジャッキ装置を示す斜視図である。
【図２】本発明によるジャッキ装置の要部拡大断面側面図である。
【図３】本発明によるジャッキ装置により道路境界ブロックを設置する状態を示す斜視図である。
【図４】本発明によるジャッキ装置によりＵ字溝を設置する状態を示す斜視図である。
【図５】本発明によるジャッキ装置によりＵ字溝を設置する状態を示す斜視図である。
【図６】本発明によるジャッキ装置の他の実施例を示す斜視図である。
【符号の説明】
【００１４】
１  ジャッキ装置
２  油圧ポンプ
３  シリンダー
４  昇降部
５  ハンドル
６  ピストン
７  作動軸
８  油圧解除レバー
９  ベース部材
１０  コンクリート２次製品
１１  コンクリート基礎
１２  クサビ
１３  ストッパー
１４  ワイヤー
Ｌ  作動行程
【図１】
2007331893.tif 000003
【図２】
2007331893.tif 000004
【図３】
2007331893.tif 000005
【図４】
2007331893.tif 000006
【図５】
2007331893.tif 000007
【図６】
2007331893.tif 000008